(57)【要約】【課題】データと電源或いは電源制御信号とが一体化されたコネクタを介して機器間を接続するときに、接続対象となる機器が通電中であっても着脱可能なコネクタを提供する。【解決手段】本発明に係るコネクタは、電子機器に設けられ、ケーブルを介して前記電子機器と外部の電子機器とを接続するコネクタにおいて、シリアルデータ信号を授受する複数のデータピンと、電源制御信号又は電源を授受する複数の電源系ピンと、複数のグランドピンとを備え、複数の電源系ピン及び複数のグランドピンは、その先端の位置が複数のデータピンの先端の位置よりも電子機器の外部側に位置するように配設される、ことを特徴とする。【選択図】  図８
2008140586.tif 000002
【特許請求の範囲】
【請求項１】
電子機器に設けられ、ケーブルを介して前記電子機器と外部の電子機器とを接続するコネクタにおいて、
シリアルデータ信号を授受する複数のデータピンと、
電源制御信号又は電源を授受する複数の電源系ピンと、
複数のグランドピンと、
を備え、
前記複数の電源系ピン及び前記複数のグランドピンは、その先端の位置が前記複数のデータピンの先端の位置よりも前記電子機器の外部側に位置するように配設される、
ことを特徴とするコネクタ。
【請求項２】
前記シリアルデータ信号は、ＳＡＴＡ規格に基づく信号であり、前記複数のデータピンは、４つの信号ピンと３つのグランドピンとが一列に配列される複数のデータピンである、
ことを特徴とする請求項１に記載のコネクタ。
【請求項３】
前記電源制御信号は、前記外部の電子機器の電源の入り切りを前記電子機器から制御する信号であり、前記電源は、前記外部の電子機器に対して前記電子機器から供給する電源である、
ことを特徴とする請求項１に記載のコネクタ。
【請求項４】
前記シリアルデータ信号は、ＳＡＴＡ規格に基づく信号であり、前記複数のデータピンは、４つの信号ピンと３つのグランドピンとが一列に配列される複数のデータピンであり、前記複数の電源系ピンは、前記複数のデータピンと一列になるようにさらに隣接して排せつされる複数の電源系ピンである、
ことを特徴とする請求項１に記載のコネクタ。
【請求項５】
第１のコネクタを具備する記録再生装置本体と、
前記第１のコネクタを具備し、前記記録再生装置本体に接続される記録装置と、
両端に前記第１のコネクタと嵌合可能な第２のコネクタを具備し、前記記録再生装置と前記記録装置とを接続するケーブルと、
を有し、
前記第１のコネクタは、
シリアルデータ信号を授受する複数のデータピンと、
電源制御信号又は電源を授受する複数の電源系ピンと、
複数のグランドピンと
を備え、
前記複数の電源系ピン及び前記複数のグランドピンは、その先端の位置が前記複数のデータピンの先端の位置よりも前記電子機器の外部側に位置するように配設される、
ことを特徴とする記録再生装置。
【請求項６】
前記シリアルデータ信号は、ＳＡＴＡ規格に基づく信号であり、前記複数のデータピンは、４つの信号ピンと３つのグランドピンとが一列に配列される複数のデータピンである、
ことを特徴とする請求項５に記載の記録再生装置。
【請求項７】
前記電源制御信号は、前記外部の電子機器の電源の入り切りを前記電子機器から制御する信号であり、前記電源は、前記外部の電子機器に対して前記電子機器から供給する電源である、
ことを特徴とする請求項５に記載の記録再生装置。
【請求項８】
前記シリアルデータ信号は、ＳＡＴＡ規格に基づく信号であり、前記複数のデータピンは、４つの信号ピンと３つのグランドピンとが一列に配列される複数のデータピンであり、前記複数の電源系ピンは、前記複数のデータピンと一列になるようにさらに隣接して排せつされる複数の電源系ピンである、
ことを特徴とする請求項５に記載の記録再生装置。
【請求項９】
前記ケーブルは、
ＳＡＴＡ規格に基づくシリアルデータ信号の伝送線と、
前記電源制御信号の供給線又は前記電源の供給線と、
を含む１本の複合ケーブルである、
ことを特徴とする請求項５に記載の記録再生装置。
【発明の詳細な説明】
【技術分野】
【０００１】
本発明は、コネクタ及びそれを具備する記録再生装置に係り、特にシリアルデータを入出力するコネクタ及びそれを具備する記録再生装置に関する。
【背景技術】
【０００２】
今日、各種映像データや情報処理データをデジタルデータとして記録し、再生する記録再生装置が広く普及している。これらの記録再生装置は、ＤＶＤ（Digital  Versatile  Disk）等の記録媒体に記録する形態、ハードディスクに記録する形態、これらを組み合わせた形態等、種々の形態がある。
【０００３】
一方、地上デジタル放送の開始等に伴って高解像度映像の記録に対するニーズが高まってきている。これらのニーズに応えるため、ハードディスク装置を内蔵する記録再生装置では、ハードディスク装置の記録容量は増加傾向にある。ハードディスク装置の記録容量が大きくなると記録再生装置全体のコスト上昇となる。
【０００４】
そこで、ハードディスク装置をオプションによる外付け増設装置として構成し、ユーザの要望によって、内蔵するハードディスク装置の記録容量をさらに増大させることができるように構成された記録再生装置も出現してきている。即ち、記録再生装置本体とこれに接続されるオプション装置としてのハードディスク装置とで記録再生装置を構成する形態である。この形態では、外付け型のハードディスク装置と記録再生装置本体とが接続ケーブルを介して接続される。
【０００５】
他方、パーソナルコンピュータ等の情報処理装置の多くもハードディスク装置を具備している。これらの情報処理装置では、ハードディスク装置に対するデータの伝送方式として、ＡＴＡ規格に基づくデータ伝送方式が多く用いられている。また、近時は、伝送速度をさらに向上させ、かつ伝送ケーブルも簡素化された、シリアル方式のＡＴＡ規格（Serial−ＡＴＡ。以下、ＳＡＴＡ規格という）も普及してきている。
【０００６】
例えば、特許文献１には、携帯型電子機器と外部の記憶装置とを、ＳＡＴＡ規格に基づくコネクタで接続する技術が開示されている。
【特許文献１】特開２００４−３１９３７２号公報
【発明の開示】
【発明が解決しようとする課題】
【０００７】
ＳＡＴＡ規格では、データは２対のシリアル信号伝送線（合計４本の伝送線）で伝送するように規格化されている。データ用のコネクタとしては、この４本の伝送線に対応する４本の信号ピンと３本のグランドピンからなる合計７ピンが横一列に配置された形態のコネクタが一般に普及している。また、ＳＡＴＡ規格対応のデータ用ケーブルとして、上記の４本の伝送線をシールド用の編み被覆（BRAID）で覆い、さらにその上からＰＶＣ（PolyVinyl  Chloride）ジャケット等で覆った可撓性の高いケーブルが普及している。
【０００８】
これに対して、ハードディスク装置等の外部機器に対して電源を供給する、或いは外部機器の電源を制御する接続線（以下、電源系ケーブルという）は、ＳＡＴＡ規格の規制はなく機器側の仕様に応じて構成が可能である。このため、夫々の両端にコネクタを備えたデータ用ケーブルと、電源系ケーブルの２種類のケーブルで外部装置と接続する形態や、特許文献１に従来技術として例示されているように、コネクタはデータ用と電源系とを一体化しつつも、ケーブルとしてはデータ系ケーブルと電源系ケーブルとを夫々別個の設ける形態が存在する。
【０００９】
また、特許文献１が開示するように、コネクタの一体化だけでなく、データ用ケーブルと電源系ケーブルとを１本の複合ケーブルとして一体化した形態もある。
【００１０】
データ用ケーブルと電源系ケーブルとの一体化、及びコネクタの一体化によって、ケーブルの取り扱いが簡素化されると共に、コネクタの着脱が容易となる。
【００１１】
ところで、データと電源系とが一体化されたコネクタの場合、プラグ・アンド・プレイと呼ばれる機能を実装していない限り、通常は、通電中の機器へのコネクタの着脱は好ましくない。接続される機器の一方、或いは双方の電源電圧が不安定な状態のままデータの伝送が行われる可能性があり、データの信頼性が保証できないからである。
【００１２】
その一方、コネクタの着脱の度に機器の電源を入り切りする操作は煩雑である。その意味では、通電中であっても着脱可能なコネクタが要望される。
【００１３】
また、ＳＡＴＡ規格はパーソナルコンピュータ等で広く普及している。デジタル放送等を扱う記録再生装置においては、不正コピーを禁止すべくパーソナルコンピュータとの物理的な接続を防止する機構を設けることが望まれる。
【００１４】
本発明は、上記事情に鑑みてなされたものであり、データと電源或いは電源制御信号とが一体化されたコネクタを介して機器間を接続するときに、接続対象となる機器が通電中であっても着脱可能なコネクタ、およびそれを具備する記録再生装置を提供することを目的とする。
【課題を解決するための手段】
【００１５】
上記課題を解決するため、本発明に係るコネクタは、請求項１に記載したように、電子機器に設けられ、ケーブルを介して前記電子機器と外部の電子機器とを接続するコネクタにおいて、シリアルデータ信号を授受する複数のデータピンと、電源制御信号又は電源を授受する複数の電源系ピンと、複数のグランドピンとを備え、前記複数の電源系ピン及び前記複数のグランドピンは、その先端の位置が前記複数のデータピンの先端の位置よりも前記電子機器の外部側に位置するように配設される、ことを特徴とする。
【００１６】
また、上記課題を解決するため、本発明に係る記録再生装置は、請求項５に記載したように、第１のコネクタを具備する記録再生装置本体と、前記第１のコネクタを具備し、前記記録再生装置本体に接続される記録装置と、両端に前記第１のコネクタと嵌合可能な第２のコネクタを具備し、前記記録再生装置と前記記録装置とを接続するケーブルと、を有し、前記第１のコネクタは、シリアルデータ信号を授受する複数のデータピンと、電源制御信号又は電源を授受する複数の電源系ピンと、複数のグランドピンと、を備え、前記複数の電源系ピン及び前記複数のグランドピンは、その先端の位置が前記複数のデータピンの先端の位置よりも前記電子機器の外部側に位置するように配設される、ことを特徴とする。
【発明の効果】
【００１７】
本発明に係るコネクタ、およびそれを具備する記録再生装置によれば、データと電源或いは電源制御信号とが一体化されたコネクタを介して機器間を接続するときに、接続対象となる機器が通電中であっても着脱可能である。
【発明を実施するための最良の形態】
【００１８】
本発明に係るコネクタ、及びそれを具備する記録再生装置の実施形態について、添付図面を参照して説明する。
【００１９】
図１は、本実施形態に係る記録再生装置（電子機器）１の構成例を示す図である。記録再生装置１は、記録再生装置本体２と、外付けの記録装置３と、両者を接続するケーブルユニット（ケーブル）４とを備えて構成されている。記録再生装置本体２は、例えば、内蔵型ハードディスクドライブ（内蔵型ＨＤＤ）と光ディスクドライブ（何れも図示せず）を具備するビデオレコーダであり、放送映像等の各種の映像情報を記録再生する。記録再生装置本体には、電源ケーブル２１を介して商用電源が供給される。
【００２０】
一方、記録装置３もＨＤＤ３２（図２参照）を具備しており、記録再生装置本体２の内蔵型ＨＤＤの記録容量を必要に応じて補うためのオプション装置である。本実施形態では、記録装置３は電源装置３３を内蔵しており、この電源装置３３には電源ケーブル３１を介して商用電源が供給される。
【００２１】
ケーブルユニット４は、記録再生装置本体２から記録装置３に対して、記録データをシリアルデータとして伝送するケーブルである。シリアルデータの伝送は、例えばＳＡＴＡ規格に基づいた伝送方式で行われる。
【００２２】
また、ケーブルユニット４には、シリアルデータ伝送用のラインに加えて電源制御用のラインも含まれている。記録再生装置本体２と記録装置３とがケーブルユニット４によって接続されない限り、記録装置３に商用電源が供給されても、電源装置３３の１次側に供給されるだけであり、２次側には供給されないようになっている。記録再生装置本体２と記録装置３とがケーブルユニット４によって接続されると、ケーブルユニット４内の電源制御用ラインを介して両者の接続検出が記録再生装置本体２にて行われ、その後、記録再生装置本体２から記録装置３に対して電源投入指令信号が送信される。この電源投入指令信号によって、記録装置３の電源装置３３の２次側に電源が供給され、記録装置３内のＨＤＤ３２が動作可能となる。
【００２３】
記録装置３は、電源装置３３を具備しない形態としてもよい。この場合、ケーブルユニット４には電源用のラインが設けられる形態となり、記録再生装置本体２から記録装置３に対して所定の直流電源が供給される。
【００２４】
図２は、ケーブルユニット４の外観例を示す図である。ケーブルユニット４は、接続ケーブル４０の両端にプラグ４１（第２のコネクタ）が設けられている。
【００２５】
プラグ４１は、１１本のプラグピンＰ＃１〜Ｐ＃１１を収容するシェル４３を具備しており、シェル４３をさらに収容するハウジング４２を備えている。
【００２６】
ハウジング４２の両端には、シェル４３を相手のコネクタ（レセプタクル）に嵌合した後にねじ固定するためのねじ部４４と、ねじ部４４をねじ込むためのつまみ４５が設けられている。
【００２７】
図３は、シェル４３を接続端側から見た斜視図である。シェル４３の接続端側にはプラグ開口部４７が開口しており、このプラグ開口部４７の図３における下側の内面に、１１本のプラグピンＰ＃１〜Ｐ＃１１が一列に配設されている。
【００２８】
ケーブルユニット４として組み立てられたときには、シェル４３の接続端側はケーブルユニット４の端部に突き出し、シェル４３の反対側（ケーブル側）はハウジング４２の内部に収容されることになる。
【００２９】
図４は、接続ケーブル４０の断面構造の一例を示す図である。接続ケーブル４０は、シールドブレード４０２で覆われたシリアルデータ伝送部と、シールドブレード４０２の外部に配設される４本の電源制御用ライン４０６とを備えている。各電源制御用ライン４０６の導体の外周は絶縁被覆で覆われている。
【００３０】
シールドブレード４０２の内部には、シリアルデータ伝送用のペア線４０３ａ、４０３ｂが２対収容されている。各ペア線４０３ａ、４０３ｂも導体の外周を絶縁被覆で覆われており、さらのその周囲をカバー４０４で覆われている。また、各ペア線４０３ａ、４０３ｂの両側には、合計４本のドレインワイア４０５が配設されている。
【００３１】
シールドブレード４０２の内部構造は、ＳＡＴＡ規格に基づく構造であり、シリアルデータ伝送用のペア線４０３ａ、４０３ｂにＳＡＴＡ規格に基づく高速シリアルデータを伝送する場合でも安定な伝送が可能である。
【００３２】
図５は、ケーブルユニット４のピンアサインを示す図である。ケーブルユニット４の両端のプラグ４２は、前述したようにプラグピンＰ＃１〜Ｐ＃１１の合計１１本のピン（コンタクト）を有している。このうち、プラグピンＰ＃２とＰ＃３とでシリアルデータ伝送用の１つのペアを構成し、プラグピンＰ＃５とＰ＃６で他のシリアルデータ伝送用のペアを構成している。これら２対のプラグピンは、接続ケーブル４０内の２対のペア線４０３ａ、４０３ｂに夫々対応するものである。なお、プラグピンＰ＃１、Ｐ＃４、及びＰ＃７はグランドピンである。
【００３３】
一方、プラグピンＰ＃８からＰ＃１１までの４本のプラグピンは、接続ケーブル４０内の４本の電源制御用ライン４０６に対応するものである。
【００３４】
このように、本実施形態に係る記録再生装置１に用いるケーブルユニット４は、シリアルデータの伝送部分についてはＳＡＴＡ規格の構造を採用することで、ＳＡＴＡ規格が有する高速伝送性能と優れたノイズ排除性能を確保できる構造としている。
【００３５】
その一方、本実施形態で用いるケーブルユニット４は、シリアルデータ伝送部分にさらに電源制御用ラインを独自の構造で複合させて、記録再生装置１用の専用ケーブルユニットとして構成している。即ち、パーソナルコンピュータ用として市場に流通しているＳＡＴＡ規格対応の一般用ケーブルとは、コネクタ形状が異なっている。このコネクタ形状の差別化によって、パーソナルコンピュータ用のＳＡＴＡ規格対応の一般用ケーブルの一端を本実施形態に係る記録再生装置本体２、或いは記録装置３に接続することを防止し、パーソナルコンピュータを用いたデジタルコンテンツの不正コピーを排除している。
【００３６】
図６は、記録装置３とケーブルユニット４との接続状況の説明図である。
【００３７】
記録装置３は、箱状の筐体３４の内部にＨＤＤ３２、電源装置３３、プリント基板３５等を収容しており、筐体３４の側壁３４ａには、ケーブルユニット４のプラグ４１を挿入するためのコネクタ開口部３６が設けられている。
【００３８】
コネクタ開口部３６の内側には、レセプタクル（コネクタ、第１のコネクタ）３０がプリント基板３５の端部に実装されている。
【００３９】
側壁３４ａのコネクタ開口部３６の両端には１対のボス部３７が設けられている。ケーブルユニット４のプラグ４１に設けられているねじ部４４をこのボス部３７にねじ込むことによって、プラグ４１とレセプタクル３０とが確実に嵌合される。
【００４０】
レセプタクル３０とＨＤＤ３２とは、プリント基板３５を介して電気的に接続される。
【００４１】
図７は、レセプタクル３０の外観例を示す図であり、図７（ａ）は平面図、図７（ｂ）は正面図、図７（ｃ）は底面図、図７（ｄ）は背面図である。
【００４２】
レセプタクル３０は、接続端３０３ａが開口した薄型箱状のハウジング３０１を有している。ハウジング３０１の接続端３０３ａ側は中空部３０３を形成しており、この中空部３０３に板状の突起部３０５が設けられている（図７（ｃ）参照）。突起部３０５の、図７（ｃ）において上面には、１１本のレセプタクルピンＲ＃１〜Ｒ＃１１が配設されている。
【００４３】
ケーブルユニット４のプラグ４１をレセプタクル３０に挿入すると、プラグ４１のプラグ開口部４７とレセプタクル３０の突起部３０５とが互いに嵌合し、プラグピンＰ＃１〜Ｐ＃１１とレセプタクルピンＲ＃１〜Ｒ＃１１とが電気的に接続される。
【００４４】
レセプタクル３０のハウジング３０には、複数の挿入ピン３０４が設けられており、挿入ピン３０４をプリント基板３５の挿入孔（図示せず）に挿入することで、レセプタクル３０上にプリント基板３５固定される。
【００４５】
一方、レセプタクルピンＲ＃１〜Ｒ＃１１は、ハウジング３０の内部で実装ピンＣ＃１〜Ｃ＃１１に接続されており、この実装ピンＣ＃１〜Ｃ＃１１によってプリント基板３５の実装面に半田接続される。
【００４６】
レセプタクルピンＲ＃１〜Ｒ＃１１は、長ピンと短ピンの２種類の長さをもったピンで構成されている。
【００４７】
図８及び図９は、レセプタクルピンＲ＃１〜Ｒ＃１１の長ピンと短ピンの具体的な配置を示すと共に、その作用効果も合わせて示した図である。
【００４８】
レセプタクルピンＲ＃１〜Ｒ＃１１のピンアサインは、プラグピンＰ＃１〜Ｐ＃１１のピンアサインと対応している。レセプタクルピンＲ＃２とＲ＃３の１対、及びレセプタクルピンＲ＃４とＲ＃５の１対は夫々シリアルデータの伝送用のピン（データピン）であり、レセプタクルピンＲ＃１、Ｒ＃４、及びＲ＃７はグランドピンである。
【００４９】
また、レセプタクルピンＲ＃８からＲ＃１１までの４本のレセプタクルピンは、電源制御用の信号を伝送するピン（電源系ピン）である。
【００５０】
本実施形態では、電源制御用ピン（Ｒ＃８〜Ｒ＃１１）とグランドピン（Ｒ＃１、Ｒ＃４、及びＲ＃７）とを長ピンとし、シリアルデータ用のピン（Ｒ＃２とＲ＃３、及びＲ＃４とＲ＃５）を短ピンとしている。即ち、図８及び図９からわかるように、長ピンの先端の位置は短ピンの先端の位置に対して、レセプタクル３０が固定される電子機器（この場合、記録装置３や記録再生装置本体２）の「Ａ」ｍｍだけ外部側に位置するように配設される。
【００５１】
一方、プラグ４１側のプラグピンＰ＃１〜Ｐ＃１１は、その先端の位置は総て同じ位置に配置されている。
【００５２】
このため、図８に示したように、プラグ４１をレセプタクル３０に挿入するときには、まず長ピンであるレセプタクル３０の電源制御用ピン（Ｒ＃８〜Ｒ＃１１）とグランドピン（Ｒ＃１、Ｒ＃４、及びＲ＃７）とが、プラグ４１の電源制御用ピン（Ｐ＃８〜Ｐ＃１１）とグランドピン（Ｐ＃１、Ｐ＃４、及びＰ＃７）とに接触する。
【００５３】
この接触によって、記録再生装置本体２ではケーブルユニット４の接続が検出され、記録装置３に対して電源投入指令信号が送信される。この電源投入指令信号によって、記録装置３の電源装置３３の２次側に電源が供給され、ＨＤＤ３２に供給する電源電圧の電位が確定し、ＨＤＤ３２はシリアルデータの伝送も含めた安定な動作が可能な状態となる。
【００５４】
その後、更なる挿入によって、レセプタクル３０の短ピン（シリアルデータ用のピン（Ｒ＃２とＲ＃３、及びＲ＃４とＲ＃５））とプラグ４１のシリアルデータ用ピン（Ｐ＃２とＰ＃３、及びＰ＃４とＰ＃５）とが接触し、シリアルデータ伝送が開始される。
【００５５】
このように本実施形態によれば、記録装置３には電源ケーブル３１から商用電源が供給されており、かつ記録再生装置本体２が動作しているときであっても、単に両者をケーブルユニット４で接続するだけで安定なシリアルデータ伝送を実現することができる。
【００５６】
図９は、記録再生装置本体２と記録装置３とが双方通電中に、プラグ４１をレセプタクル３０から抜去するときの作用効果を説明する図である。
【００５７】
レセプタクル３０を抜去するときには、まず短ピンであるシリアルデータ用のピン（Ｒ＃２とＲ＃３、及びＲ＃４とＲ＃５）の接続が開放される。この時点では長ピンはまだ接触が確保されているため、記録装置３のＨＤＤ３２には安定な電源電圧が供給されており、安定なシリアルデータ伝送が可能な状態でシリアルデータ伝送は停止する。このため、ＨＤＤ３２の電源電圧の不安定さに起因する異常データの書き込みを防止できる。
【００５８】
シリアルデータ伝送系のピンと電源系のピンとが同じ位置で接触するように構成されていた場合、通電中にコネクタを挿入したり抜いたりすると、電源系の電位が不確定な状態が発生し、データ伝送系に電圧変動が生じたりノイズが重畳されたりする事象が発生し、ＨＤＤ３２への書き込み不良の原因となるばかりでなく、記録再生装置本体２や記録装置３が破損する可能性も生じうるが、本実施形態ではこのような事態の発生を防止することができる。
【００５９】
ここまでは、レセプタクル３０側のピンを長ピンと短ピンとで構成し、プラグ４１側のピン長は同じとする実施形態について説明したが、逆にレセプタクル３０側のピンは同じ長さとし、プラグ４１側のピンを長ピンと短ピンとで構成する形態としても良い。
【００６０】
以上説明してきたように、本実施形態に係るコネクタ、およびそれを具備する記録再生装置によれば、データと電源或いは電源制御信号とが一体化されたコネクタを介して機器間を接続するときに、接続対象となる機器が通電中であっても着脱可能となる。
【００６１】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００６２】
【図１】本発明の一実施形態に係る記録再生装置の構成例を示す図。
【図２】記録再生装置が具備するケーブルユニットの外観例を示す図。
【図３】ケーブルユニットのプラグの構造例の一部を示す図。
【図４】ケーブルユニットが具備する接続ケーブルの断面構造例を示す図。
【図５】ケーブルユニットのピンアサインの一例を示す図。
【図６】ケーブルユニットと外付け記録装置との接続状況を説明する図。
【図７】本発明の一実施形態に係るコネクタの外観例を示す図。
【図８】コネクタ（レセプタクル）が具備する長ピンと短ピンのピン構成を模式的に示すと共に、コネクタ挿入時におけるピン構成の作用効果を説明する図。
【図９】コネクタ（レセプタクル）が具備する長ピンと短ピンのピン構成を模式的に示すと共に、コネクタ抜去時におけるピン構成の作用効果を説明する図。
【符号の説明】
【００６３】
１  記録再生装置
２  記録再生装置本体
３  記録装置
４  ケーブルユニット
３０  レセプタクル（コネクタ）
４０  接続ケーブル
４１  プラグ
Ｐ＃１〜Ｐ＃１１  プラグピン
Ｒ＃１〜Ｒ＃１１  レセプタクルピン
【図１】
2008140586.tif 000003
【図２】
2008140586.tif 000004
【図３】
2008140586.tif 000005
【図４】
2008140586.tif 000006
【図５】
2008140586.tif 000007
【図６】
2008140586.tif 000008
【図７】
2008140586.tif 000009
【図８】
2008140586.tif 000010
【図９】
2008140586.tif 000011